(57)【要約】【課題】被吸引物を口腔外へ導く主管の先端部分の構造を工夫して、施術時の飛散水の咽頭への浸入を防止できるようにすると共に、気管への誤嚥や、ムセ込み等を防止できるようにする。【解決手段】口腔内の被吸引物を吸い込んで口腔外へ排出する排唾管型吸引装置は、先端部分に被吸引物を捕捉する孔部を有し、当該孔部によって捕捉された被吸引物を口腔外へ導く主管１１と、孔部の近傍の先端部分に接続され、被吸引物を捕捉する孔部を有し、当該被吸引物を主管１１に導く細管１２ａ，１２ｂと、細管１２ａ，１２ｂに着脱自在に取り付けられ、施術時の飛散水２を吸水する吸水部材１３ａ，１３ｂとを備えている。この構成によって、吸水部材１３ａ，１３ｂに吸水された飛散水２を細管１２ａ，１２ｂの孔部により捕捉することができ、捕捉された飛散水２を主管１１に導くことができる。【選択図】  図１
2013230204.tif 000002
【特許請求の範囲】
【請求項１】
口腔内の被吸引物を吸い込んで口腔外へ排出する口腔内吸引装置であって、
先端部分に前記被吸引物を捕捉する孔部を有し、当該孔部によって捕捉された前記被吸引物を口腔外へ導く第１の管部材と、
前記孔部の近傍の前記第１の管部材の先端部分に接続され、前記被吸引物を捕捉する孔部を有し、当該被吸引物を前記第１の管部材に導く第２の管部材と、
前記第２の管部材に着脱自在に取り付けられ、施術時の飛散水を吸水する吸水部材とを備える口腔内吸引装置。
【請求項２】
前記吸水部材は長手方向に穴部を有し、
前記吸水部材の穴部が、前記第１の管部材の先端部分に接続された前記第２の管部材に嵌合される請求項１に記載の口腔内吸引装置。
【請求項３】
前記第１の管部材の先端部分には、２つの前記第２の管部材が接続され、一方の前記第２の管部材及び他方の前記第２の管部材の少なくともいずれか一方は、患者の上顎歯列又は下顎歯列に沿って配置され、
前記第２の管部材は、
前記歯列の内側及び外側の少なくともいずれか一方の側の前記吸水部材により吸水された飛散水を前記第１の管部材に導く請求項１または請求項２に記載の口腔内吸引装置。
【請求項４】
前記第１の管部材は導管部分を有し、
前記導管部分と前記第２の管部材が接続された先端部分とに分割可能な着脱構造を有している請求項１または請求項２に記載の口腔内吸引装置。
【請求項５】
形状が異なる前記第２の管部材を接続した複数の先端部分が準備され、
患者の歯列形状に合った前記第２の管部材の形状の先端部分が選択されて前記第１の管部材の導管部分に装着される請求項４に記載の口腔内吸引装置。
【請求項６】
前記第１の管部材の先端部分に接続された前記第２の管部材が可逆性を有する部材で構成され、
前記第２の管部材の形状が患者の歯列形状に合わせ込まれる請求項１または請求項２に記載の口腔内吸引装置。
【請求項７】
前記第１の管部材の先端部分に接続された前記第２の管部材に着脱可能な吸水部材であって、大きさが異なる前記吸水部材が複数準備され、
患者の歯列形状に合った大きさの前記吸水部材が選択されて前記第２の管部材に装着される請求項１または請求項２に記載の口腔内吸引装置。
【請求項８】
前記第１の管部材の先端部分が、
患者口内の下顎最後臼歯の奥側に設置される請求項１から請求項７に記載の口腔内吸引装置。
【請求項９】
前記第１の管部材の先端部分が、
患者口内の施術部位の近傍に設置される請求項１から請求項７に記載の口腔内吸引装置。
【発明の詳細な説明】
【技術分野】
【０００１】
本発明は、主管の先端部分を下顎最後臼歯の奥側に設置して施術中の水や唾液等を吸引する排唾管型吸引装置や、主管の先端部分を施術部位の近傍に設置して歯牙削片や歯石等を吸引するバキュームチップ型吸引装置等に適用可能な口腔内吸引装置に関するものである。
【背景技術】
【０００２】
従来から、大量の冷却水を患者の口内の施術部位に供給しながら、エアータービン等の高速切削機器及び、歯石除去用の超音波スケーラーを用いて歯科治療を行っている。図６は、従来例に係る口腔内吸引装置の設置例を示す概念図である。図６に示す口腔内吸引装置の設置例によれば、歯石を除去する際に、排唾管型吸引装置１０とバキュームチップ型吸引装置２０とが使用されている。
【０００３】
患者の口内７には、排唾管４が配設され、排唾管４から真空ポンプ１５に至る導管部材８と、例えば、歯科衛生士が保持したバキュームチップ５から真空ポンプ２５に至る導管部材９とが患者の口腔外へ導かれている。
【０００４】
歯石を除去する際には、医師が保持した超音波スケーラー６が施術部位の近傍に導入され、そのツールの先端に冷却水を噴射し、超音波スケーラー６で歯石を除去すると、バキュームチップ５で歯石片等を含んだ水分等の被吸引物３を吸引しながら、排唾管４で施術中に導入した大量の水や、唾液等の滞留水１や飛散水２等を吸引している。
【０００５】
ところで、歯科診療時の仰臥姿勢において、正常者は舌口蓋閉鎖機能により自然と舌口蓋部分が閉鎖する。しかし、高齢者や脳血管疾患の機能不全者等は、舌口蓋閉鎖機能が働かず、舌口蓋部分が開大したままとなされ、ムセによるツールの口内損傷を招いたり、気管への誤嚥を原因とする誤嚥性肺炎の恐れが懸念される。
【０００６】
上述の舌口蓋閉鎖機能が衰えた患者に対応した口腔内吸引装置に関連して、排水管（排出管）及び網袋（吸水部材）を備え、吸収孔を有する排水管に吸水部材を差し込み、患者の口腔奥に当該吸水部材を配設して、施術時、気管への誤嚥を防止する歯科治療用等口腔内の粉塵、噴霧塵液等吸収具が開示されている（特許文献１参照）。
【０００７】
また、施術時の飛散水及び滞留水の回収を目的として、枝管、本体管（基部）及び排出管を備え、枝管には小穴が設けられ、本体管には枝管及び排出管が接続され、口腔内の広い範囲から同時に汚濁液を吸引する口腔内排液具が開示されている。基部には中央吸引口が設けられ、基部が前歯の後ろに位置決めされ、中央吸引口を介して滞留水等を排（廃）唾するようになされる（特許文献２参照）。
【先行技術文献】
【特許文献】
【０００８】
【特許文献１】実公平  ０３−０１０９７４号公報
【特許文献２】特開平  ０９−１２２１５６号公報
【発明の概要】
【発明が解決しようとする課題】
【０００９】
従来例に係る口腔内吸引装置によれば、次のような問題がある。   
ｉ．口腔内の水を吸い出す現行の吸引器具（バキュームチップ及び排唾管）は、吸引箇所が局所的であり、飛散した水分が仰臥姿勢において、口腔奥に溜まることを前提にしている。しかし、高齢者や脳血管疾患等で不随意に舌や口蓋粘膜が動く者は、舌口蓋閉鎖機能が働かず、水が咽頭に浸入し、気管への誤嚥、ムセ込みが発生する。ムセては診療ができず、ムセによるツールの口内損傷を招いたり、気管への誤嚥を原因とする誤嚥性肺炎を発症する恐れがある。
【００１０】
ii．因みに、舌口蓋閉鎖機能が低下した患者に対応した口腔内吸引装置を成形しようとした場合に、特許文献１の吸水部材の構造と特許文献２の枝管、基部及び排出管の構造とを組み合わせる方法が考えられる。しかし、特許文献１は、排水管及び吸水部材を備えているもののバキュームチップ及び排唾管（メイントラップ）の構造及びその機能が開示されておらず、特許文献１の排出管等へのバキュームチップ及び排唾管の配設によっては、被吸引物の吸引機能を十分に発揮できない（排水能力が低い）という問題がある。
【００１１】
iii．また、特許文献２には吸水部材の構造が開示されておらず、特許文献２の枝管等への吸水部材の配設方法によっては、本来の飛散水の吸収機能を十分に発揮できないという問題がある。
【００１２】
そこで、本発明はこのような課題を解決したものであって、被吸引物を口腔外へ導く主管の先端部分の構造を工夫して、施術時の飛散水の咽頭への浸入を防止できるようにすると共に、気管への誤嚥や、ムセ込み等を防止できるようにした口腔内吸引装置を提供することを目的とする。
【課題を解決するための手段】
【００１３】
上述の課題を解決するために、請求項１に記載の口腔内吸引装置は、口腔内の被吸引物を吸い込んで口腔外へ排出する口腔内吸引装置であって、先端部分に前記被吸引物を捕捉する孔部を有し、当該孔部によって捕捉された前記被吸引物を口腔外へ導く第１の管部材と、前記孔部の近傍の前記第１の管部材の先端部分に接続され、前記被吸引物を捕捉する孔部を有し、当該被吸引物を前記第１の管部材に導く第２の管部材と、前記第２の管部材に着脱自在に取り付けられ、施術時の飛散水を吸水する吸水部材とを備えるものである。
【００１４】
請求項１に係る口腔内吸引装置によれば、孔部によって捕捉された被吸引物を口腔外へ導く第１の管部材の先端部分に第２の管部材が接続され、この第２の管部材には着脱自在に吸水部材が取り付けられ、施術時の飛散水を吸水するようになされる。この構成によって、吸水部材に吸水された飛散水を第２の管部材の孔部により捕捉することができ、捕捉された飛散水を第１の管部材に導くことができる。
【００１５】
請求項２に記載の口腔内吸引装置は、請求項１において、前記吸水部材は長手方向に穴部を有し、前記吸水部材の穴部が、前記第１の管部材の先端部分に接続された前記第２の管部材に嵌合されるものである。
【００１６】
請求項３に記載の口腔内吸引装置は、請求項２において、前記第１の管部材の先端部分には、２つの前記第２の管部材が接続され、一方の前記第２の管部材及び他方の前記第２の管部材の少なくともいずれか一方は、患者の上顎歯列又は下顎歯列に沿って配置され、前記第２の管部材は、前記歯列の内側及び外側の少なくともいずれか一方の側の前記吸水部材により吸水された飛散水を前記第１の管部材に導くものである。ここに歯列の内側とは口蓋側あるいは舌側をいい、その外側とは頬側をいう。
【００１７】
請求項４に記載の口腔内吸引装置は、請求項３において、前記第１の管部材は導管部分を有し、前記導管部分と前記第２の管部材が接続された先端部分とに分割可能な着脱構造を有しているものである。
【００１８】
請求項５に記載の口腔内吸引装置は、請求項４において、形状が異なる前記第２の管部材を接続した複数の先端部分が準備され、患者の歯列形状に合った前記第２の管部材の形状の先端部分が選択されて前記第１の管部材の導管部分に装着されるものである。
【００１９】
請求項６に記載の口腔内吸引装置は、請求項５において、前記第１の管部材の先端部分に接続された前記第２の管部材が可逆性を有する部材で構成され、前記第２の管部材の形状が患者の歯列形状に合わせ込まれるものである。
【００２０】
請求項７に記載の口腔内吸引装置は、請求項６において、前記第１の管部材の先端部分に接続された前記第２の管部材に着脱可能な吸水部材であって、大きさが異なる前記吸水部材が複数準備され、患者の歯列形状に合った大きさの前記吸水部材が選択されて前記第２の管部材に装着されるものである。
【００２１】
請求項８に記載の口腔内吸引装置は、請求項７において、前記第１の管部材の先端部分が、患者口腔内の下顎最後臼歯の奥側に設置されるものである。
【００２２】
請求項９に記載の口腔内吸引装置は、請求項７において、前記第１の管部材の先端部分が、患者口腔内の施術部位の近傍に設置されるものである。
【発明の効果】
【００２３】
本発明に係る口腔内吸引装置によれば、吸水部材に吸水された飛散水を第２の管部材の孔部により捕捉することができ、捕捉された飛散水を第１の管部材に導くことができる。これにより、咽頭への飛散水の浸入を防止でき、気管への誤嚥や、ムセ込み等を防止できるようになる。しかも、ムセて診療ができない等の事態を回避できるので、治療工具による口腔内損傷を防止できるばかりか、更に、誤嚥性肺炎等の発症を防止できるようになる。
【図面の簡単な説明】
【００２４】
【図１】本発明に係る第１の実施例としての排唾管型吸引装置１００の構成例を示す斜視図である。
【図２】排唾管型吸引装置１００の組立例を示す分解斜視図である。
【図３】変形例としての排唾管型吸引装置１０１の構成例を示す斜視図である。
【図４】第２の実施例としてのバキュームチップ型吸引装置２００の構成例を示す斜視図である。
【図５】バキュームチップ型吸引装置２００の組立例を示す分解斜視図である。
【図６】従来例に係る口腔内吸引装置の設置例を示す概念図である
【発明を実施するための形態】
【００２５】
以下、図面を参照しながら、本発明に係る実施の形態としての口腔内吸引装置について説明する。
【実施例１】
【００２６】
図１に示す第１の実施例としての排唾管型吸引装置１００は、口腔内吸引装置の一例を構成し、歯科医療時、患者の口腔内に溜まった被吸引物、例えば、滞留水１や飛散水２等を吸い込んで口腔外へ排出するもの（２トラップ方式）である。
【００２７】
排唾管型吸引装置１００は、２トラップ方式を具現化するため、主管１１、細管１２ａ，１２ｂ、吸水部材１３ａ，１３ｂ及び真空ポンプ１５を有しており、主管１１の先端部分が、患者口腔内の下顎最後臼歯の奥側に設置されるものである。
【００２８】
主管１１は第１の管部材の一例を構成し、先端部分１１ａと導管部分１１ｂとを有している。先端部分１１ａは繰り返して使用するため、例えば、高温消毒を考慮してステンレス素材（ＳＵＳ３０４等）から構成される。先端部分１１ａは、患者口内の奥側に設置されることから、Ｕ状に曲がった容姿を有している。先端部分１１ａには軽量が要求されるが、アルミニウム素材や、高温消毒に耐え得る樹脂部材等も使用することができる。先端部分１１ａ等の消毒にはプラズマ滅菌処理装置を使用して行われる。その際の処理温度は７０℃程度である。
【００２９】
先端部分１１ａにはメイントラップ１１ｃ（孔部）が設けられ、施術中の噴射（洗浄）水や唾液等の滞留水１が捕捉される。メイントラップ１１ｃには直径数ｍｍ程度の複数の孔部が開口された籠状のものが使用される。メイントラップ１１ｃの端部は半球状に加工するとよい。患者の口腔内における舌触り等の違和感を無くすことができる。メイントラップ１１ｃによって捕捉された滞留水１は、導管部分１１ｂを介して口腔外へ導かれる。
【００３０】
導管部分１１ｂには、例えば、長さ数ｍ程度のゴムホースや、網（螺旋）入りのビニールホース等が使用される。導管部分１１ｂの終端部には真空ポンプ１５が接続され、導管部分１１ｂを介して滞留水１を吸引するように動作する。
【００３１】
メイントラップ１１ｃの近傍の先端部分１１ａには、第２の管部材の一例を構成する２つの細管１２ａ，１２ｂが接続されている。細管１２ａ，１２ｂには、高温の消毒に耐え得るステンレス素材（ＳＵＳ３０４）や、ポリプロピレン等により形成されている。細管１２ａ，１２ｂには、例えば、主管１１よりも小さい口径のステンレスの管部材を、所定の長さにＪ字状に折り曲げ加工したものが使用される。
【００３２】
細管１２ａ，１２ｂは、例えば、電気やガス等の溶接により、水路を確保した状態で先端部分１１ａと接合される。細管１２ａ，１２ｂを樹脂で構成する場合は、耐熱性の接着剤で接続される。細管１２ａ，１２ｂの各々の側面には例えば、数ｍｍ程度の吸水用の細孔（図中の黒丸印）が設けられる。もちろん、細管１２ａ，１２ｂの各々の端面にも細孔を設けてもよい。細管１２ａ，１２ｂは、吸水部材１３ａ，１３ｂを介して吸水された飛散水２を主管１１に導くようになされる。
【００３３】
細管１２ａ，１２ｂにはステンレス素材に限られることはなく、可逆性を有する部材、例えば、アルミニウムの管部材等により構成してもよい。施術時、細管１２ａ，１２ｂの湾曲形状等を患者の歯列形状に合わせ込むことができる。
【００３４】
この例で、先端部分１１ａから２つの方向へ分岐される細管１２ａ，１２ｂの根元付近や、その分岐点を含む先端部分１１ａの周辺には、保護部材１４が設けられる。保護部材１４は、管材接続部分の段差形状を丸くして角部を無くし、口内を保護するために施される。保護部材１４には、例えば、義歯製作用の樹脂が利用できる。
【００３５】
一方、主管１１は、導管部分１１ｂと先端部分１１ａとに分割可能となされ、導管部分１１ｂと先端部分１１ａとが着脱可能な構造を有している。例えば、導管部分１１ｂの内側に雌ネジが設けられ、先端部分１１ａの外側に雄ネジが設けられ、水路を確保した状態で、導管部分１１ｂの雌ネジに、先端部分１１ａの雄ネジが螺合される。雌ネジ及び雄ネジは導管部分１１ｂと先端部分１１ａとで、各々反対となる側に設けてもよい。この例では、導管部分１１ｂに対して、異形状の細管１２ａ，１２ｂを接続した先端部分１１ａを交換できるようになっている。
【００３６】
細管１２ａ，１２ｂの各々には、それぞれに対して吸水部材１３ａ，１３ｂが着脱自在に取り付けられ、施術時の飛散水２を吸水する。吸水部材１３ａ，１３ｂは、治療部位の歯以外の歯も含めて、全体をカバーするように歯列に沿って配置され、飛散水２を捕捉（サブトラップ）する。
【００３７】
吸水部材１３ａ，１３ｂはディスポーザル（disposable：使い捨て）とすべく、長手方向に穴部３０１を有し、この穴部３０１が、先端部分１１ａに接続された細管１２ａ，１２ｂに対して嵌合可能な着脱式を構成する。例えば、大きさが異なる吸水部材１３ａ，１３ｂが複数準備され、患者の歯列形状に合った大きさの吸水部材１３ａ，１３ｂが選択されて細管１２ａ，１２ｂに装着される。
【００３８】
この例で、細管１２ａには吸水部材１３ａが挿入され、細管１２ｂには吸水部材１３ｂが挿入される。上述の吸水部材１３ａ＋細管１２ａと吸水部材１３ｂ＋細管１２ｂとで、２つのサブトラップを構成する。このサブトラップは、少なくとも、歯列の内側（患者の口蓋側あるいは舌側）に設けられる。吸水部材１３ａ，１３ｂの水分（飛散水２）は、細管１２ａ，１２ｂを介して主管１１と合流する。メイントラップ１１ｃから吸引された滞留水１と細管１２ａ，１２ｂから合流した飛散水２は導管部分１１ｂを介して口腔外へ排出される。
【００３９】
続いて、図２を参照して、排唾管型吸引装置１００の組立例について説明する。この例では、図１に示した２トラップ方式の排唾管型吸引装置１００を組み立てる場合を前提とする。まず、先端部分１１ａを形成する。先端部分１１ａには比較的肉厚（例えば、１ｍｍ〜２ｍｍ程度）で外径が５〜７ｍｍ、内径が３ｍｍ程度のステンレス（ＳＵＳ３０４等）の第１パイプ素材を使用する。この第１パイプ素材を、例えば、長さ１０ｃｍ程度に切断した後、Ｕ状に折り曲げ加工する。
【００４０】
この例では、上述の第１パイプ素材を内側に嵌合可能な異口径（外径が８〜１０ｍｍ、内径が５〜７ｍｍ程度）のステンレスの第２パイプ素材を、例えば、長さ１０ｍｍ〜１５ｍｍ程度に切断する。第２パイプ素材は細管１２ａ，細管１２ｂの取り付け基部とするためである。第１パイプ素材の肉厚が十分確保できれば、第２パイプ素材を省略してもよい。
【００４１】
次に、第２パイプ素材を第１パイプ素材の一端から通して所定の位置で止めて溶接する。細管１２ａ，１２ｂからの水路を確保するために、第１及び第２パイプ素材に貫通孔１０２を形成する。貫通孔１０２は、第１パイプ素材の方を狭くし、第２パイプ素材の方法を広くすると、細管１２ａ，１２ｂの座位姿勢が安定する。
【００４２】
その後、第１パイプ素材の一端にメイントラップ１１ｃを取り付ける。メイントラップ１１ｃには図１で説明したように端部が半球状で、直径数ｍｍ程度の複数の孔部が開口されたステンレス製の籠体を使用する。メイントラップ１１ｃの他端には雄ネジを形成する。これにより、メイントラップ付きの先端部分１１ａが得られる。
【００４３】
先端部分１１ａが準備できたら、先端部分１１ａに細管１２ａ，１２ｂを接続する。細管１２ａ，１２ｂには、例えば、主管１１よりも小さい口径（例えば、外径２ｍｍ〜３ｍｍ程度）のステンレスの管部材を、長さ４０ｍｍ〜６０ｍｍ程度に切断し、切断後の管部材をＪ字状に折り曲げ加工する。細管１２ａ，１２ｂの各々の側面に、１±０．５ｍｍ程度の吸水用の細孔（図中の黒丸印参照）を形成する。もちろん、細管１２ａ，１２ｂの各々の端面にも細孔を設けてもよい。
【００４４】
この例では、細管１２ａの一端を貫通孔１０２の一方に嵌合した状態で溶接し、細管１２ｂも同様にして、他方の側の貫通孔１０２に溶接する。このとき、電気やガス等の溶接により、水路を確保した状態で細管１２ａ，１２ｂを先端部分１１ａに接合する。
【００４５】
この部分を可動式とする場合は、細管１２ａ，１２ｂの各々の端部に雄ネジを形成し、貫通孔１０２の内側に雌ネジ等を施すことで、先端部分１１ａに対して細管１２ａ，１２ｂを軸回転できるようになる。この部分の可動構造は、ネジ係合式に限られることはなく、例えば、先端部分１１ａの貫通孔１０２の内周面に環状の溝部を形成する。また、細管１２ａ等の根元部分の外周面に、上述の貫通孔１０２の溝部に対峙する溝部を形成する。この対峙する溝部間にＯリングゴム部材を嵌合して、細管１２ａ等を可動式とする構造を採ってもよい。
【００４６】
細管１２ａ，１２ｂはステンレス素材に限られることはなく、アルミニウム管を塑性変形させて作成してもよい。その際には貫通孔１０２の基部の構造が、アルミニウム管の取り付け時に十分に発揮できるようになる。
【００４７】
その後、先端部分１１ａ、細管１２ａ及び細管１２ｂの周囲に保護部材１４を形成して分岐部分を保護する。保護部材１４には義歯作成用の樹脂を使用するとよい。このとき、熱溶融状態の樹脂を先端部分１１ａから２つの方向へ分岐される細管１２ａ，１２ｂの根元付近や、その分岐点を含む先端部分１１ａの周辺に保護部材１４を形成し、その後、冷却するとよい。そして、冷却後の樹脂を研磨して表面を円滑にするとよい。
【００４８】
そして、先端部分１１ａを導管部分１１ｂに接続する。導管部分１１ｂには一端に雌ネジを設けたものを準備する。導管部分１１ｂには、例えば、長さ数ｍ程度のゴムホースや、網（螺旋）入りのビニールホース等が使用される。先端部分１１ａの雄ネジを導管部分１１ｂの雌ネジに螺合して主管１１を組み立てる。導管部分１１ｂの終端部には真空ポンプ１５を接続する。
【００４９】
そして、細管１２ａに吸水部材１３ａを挿入し、細管１２ｂに吸水部材１３ｂを挿入する。吸水部材１３ａ，１３ｂには、例えば、穴部３０１用の芯の周囲に綿状体を円柱状に形成し、その後、芯を取り除いた円柱状の綿状部材を使用する。吸水部材１３ａ，１３ｂは円柱状や、綿状部材等に限られることはなく、歯列側がフラットで反対側が半円形の断面形状を有した吸水部材や、矩形断面形状で可塑性を有した吸水部材を使用してもよい。可塑性の部材には、例えば、生け花用の保水性発泡樹脂（原料がフェノール樹脂もくしはポリウレタン樹脂）が使用できる。吸水部材１３ａは繭玉のように前後に丸みを帯びた形状でもよい。
【００５０】
吸水部材１３ａ，１３ｂへの細管１２ａ，１２ｂのガイド用の穴部３０１は、穴無しの吸水部材に何らかの治具を使用して細管１２ａ，１２ｂへ強引に挿入する方法を採ってもよい。その際に、例えば、細管１２ａ，１２ｂを細長い円錐状（角笛状）に形成して、吸水部材１３ａ，１３ｂへ差し込み易くするようにしてもよい。これらにより、図１に示したような排唾管型吸引装置１００が完成する。
【００５１】
ここで、図３を参照して、変形例としての排唾管型吸引装置１０１の構成例について説明する。上述の排唾管型吸引装置１００では、形状が異なる細管１２ａ，１２ｂを接続した先端部分１１ａが複数準備され、患者の歯列形状に合った細管１２ａ，１２ｂの形状の先端部分１１ａが選択されて導管部分１１ｂに装着できるようにした。この例では、患者側から見て左側用、右側用のサブトラップ、左側下顎歯列用及び右側下顎歯列用のサブトラップの合計４種類が準備されている。
【００５２】
図３に示す排唾管型吸引装置１０１は排唾管型吸引装置１００の変形例を構成し、左側用のサブトラップＴｌを有している。サブトラップＴｌは、患者の左側の上顎歯牙１８の治療時に使用され、先端部分１１ａ’を口腔側に置いたとき、その細管１２ａ，１２ｂが患者の左側の下顎歯牙１７および上顎歯牙１８に沿って歯列の内側（口蓋側あるいは舌側）に配置され、吸水部材１３ａ，１３ｂにより吸水された歯列の内側の飛散水２を主管１１に導くようになされる。この場合、歯列外側（頬側）の水は、歯列と頬の間を伝い落ちて、滞留水１となりメイントラップ１１ｃ’から吸引される。
【００５３】
図示せずも、右側用のサブトラップは、患者の右側の上顎歯牙治療時に使用され、先端部分１１ａ’を口腔側に置いたとき、その細管１２ａ，１２ｂが患者の右歯列に沿って歯列の内側（口蓋側あるいは舌側）に配置され、吸水部材１３ａ，１３ｂにより吸水された飛散水２を主管１１’に導くようになされる。
【００５４】
また、下顎歯列用のサブトラップは、図１に示したように、患者の下顎歯牙治療時に使用され、下顎歯列に沿って細管１２ｂが配置され、患者の歯列の内側（舌側）の吸水部材１３ｂにより吸水された飛散水２を主管１１’に導くようになされる。
【００５５】
このように第１の実施例に係る排唾管型吸引装置１００，１０１によれば、メイントラップ１１ｃによって捕捉された滞留水１を口腔外へ導く主管１１の先端部分１１ａに細管１２ａ，１２ｂが接続され、この細管１２ａ，１２ｂには着脱自在に吸水部材１３ａ，１３ｂが取り付けられ、施術時の飛散水２を吸水するようになされる。
【００５６】
この構造によって、吸水部材１３ａ，１３ｂに吸水された飛散水２を細管１２ａ，１２ｂの細孔により捕捉することができ、捕捉された飛散水２を主管１１に導くことができる。これにより、咽頭への飛散水２の浸入を防止でき、気管への誤嚥や、ムセ込み等を防止できるようになる。しかも、ムセて診療ができない等の事態を回避できるので、治療工具による口腔内損傷を防止できるばかりか、更に、誤嚥性肺炎等の発症を防止できるようになる。
【００５７】
なお、排唾管型吸引装置１００，１０１によれば、吸水部材１３ａ，１３ｂの長手方向に設けられた穴部３０１が、主管１１の先端部分１１ａに接続された細管１２ａ，１２ｂに嵌合されるので、患者毎に吸水部材１３ａ，１３ｂを交換して施術時の飛散水２を捕捉することができる。
【００５８】
排唾管型吸引装置１００，１０１によれば、細孔付きの２つの細管１２ａ，１２ｂが、患者の上顎歯列又は下顎歯列に沿って配置され、これらの細管１２ａ，１２ｂが、患者の歯列の内側（口蓋側あるいは舌側）及び外側（頬側）の少なくともいずれか一方の吸水部材１３ａ，１３ｂにより吸水された飛散水２を主管１１に導くので、咽頭への飛散水２の浸入を防止でき、気管への誤嚥や、ムセ込み等を防止できるようになる。
【００５９】
排唾管型吸引装置１００，１０１によれば、先端部分１１ａと導管部分１１ｂとが着脱構造を有し、形状が異なる細管１２ａ，１２ｂを接続した先端部分１１ａが複数準備されるので、患者の歯列形状に合った細管１２ａ，１２ｂに吸水部材１３ａ，１３ｂを取り付けて、施術時の飛散水２を捕捉することができる。
【００６０】
排唾管型吸引装置１００，１０１によれば、大きさが異なる吸水部材１３ａ，１３ｂが複数準備されるので、患者の歯列形状に合った大きさの吸水部材１３ａ，１３ｂを細管１２ａ，１２ｂに取り付けて、施術時の飛散水２を捕捉することができる。
【００６１】
排唾管型吸引装置１００，１０１によれば、細管１２ａ，１２ｂが可逆性を有する部材で構成されるので、患者の歯列形状に合わせ込んだ形状の細管１２ａ，１２ｂに吸水部材１３ａ，１３ｂを取り付けて、施術時の飛散水２を捕捉することができる。
【００６２】
排唾管型吸引装置１００，１０１によれば、主管１１の先端部分１１ａが、患者口内の下顎最後臼歯の奥側に設置され、施術時、吸水部材１３ａ，１３ｂにより吸水された飛散水２を主管１１に導くようになる。これにより、局所的に滞留水１を吸引するメイントラップ（直接式）と、サブトラップした水分を吸い出す機能（間接式）を兼ね備えた２トラップ方式の排唾管型吸引装置１００，１０１を提供できるようになった。
【００６３】
なお、第１の実施例では、先端部分１１ａに対して、細管１２ａ，１２ｂを比較的長く先端部分１１ａから延在する構造について説明したが、これに限られることはない。例えば、側面に細孔が無く、端部に孔がある、やや太めで短い細管１２ａ，１２に吸水部材１３ａ，１３ｂを差し込んで使用してもよい。吸水部材１３ａ，１３ｂで捕捉された飛散水２を端部の孔から吸水して排出することができる。
【実施例２】
【００６４】
続いて、図４を参照して、第２の実施例としてのバキュームチップ型吸引装置２００の構成例について説明する。バキュームチップ型吸引装置２００は、２トラップ方式を具現化するため、主管２１、細管２２ａ，２２ｂ、吸水部材２３ａ，２３ｂ及び真空ポンプ２５を有しており、主管２１の先端部分２１ａが、患者口腔内の施術部位のツール近傍に設置され、歯牙削片や歯石・歯垢、冷却水等を吸引するようになされる。
【００６５】
主管２１は第１の管部材の他の一例を構成し、先端部分２１ａと導管部分２１ｂを有している。先端部分２１ａは第１の実施例と同様にして繰り返して使用される。先端部分２１ａは、患者口内の施術部位に設置されることから、Ｌ状に曲がった容姿を有している。先端部分２１ａも、第１の実施例と同様にして、軽量が要求されるため、アルミニウム素材や、高温消毒に耐え得る樹脂部材等が使用される。先端部分２１ａ等の消毒にはプラズマ滅菌処理装置を使用して行われる。
【００６６】
先端部分２１ａにはメイントラップ２１ｃ（孔部）が設けられ、施術中の歯牙削片や、歯石等、噴射（洗浄）水や唾液等の被吸引物３が捕捉される。メイントラップ２１ｃには比較的大きな単一形状の開口部が設けられたものが使用される。メイントラップ２１ｃの端部は半円形状に加工するとよい。口腔内における舌触り等の違和感を無くすことができる。メイントラップ２１ｃによって捕捉された被吸引物３は、導管部分２１ｂを介して口腔外へ導かれる。
【００６７】
導管部分２１ｂには、第１の実施例と同様にして、ゴムホースや、網（螺旋）入りのビニールホース等が使用される。導管部分２１ｂの終端部には真空ポンプ２５が接続され、導管部分２１ｂを介して被吸引物３を吸引するように動作する。
【００６８】
メイントラップ２１ｃの近傍の先端部分２１ａには、２つの細管２２ａ，２２ｂが接続されている。細管２２ａ，２２ｂには、高温の消毒に耐え得るステンレス素材（ＳＵＳ３０４）や、ポリプロピレン等により形成されている。
【００６９】
細管２２ａ，２２ｂの形状及びその形成方法は、第１の実施例と同様であるので、その説明を省略する。細管２２ａ，２２ｂにはステンレスに限られることはなく、可逆性を有する部材、例えば、アルミニウムの管部材等により構成してもよい。施術時、細管２２ａ，２２ｂの形状を患者の歯列形状に合わせ込むことができる。
【００７０】
この例で、先端部分２１ａから２つの方向へ分岐される細管２２ａ，２２ｂの根元付近や、その分岐点を含む先端部分２１ａの周辺には、第１の実施例と同様にして、保護部材２４が設けられる。なお、第１の実施例と同じ名称のものは、同じ構造及び機能を有するので、その説明を省略する。
【００７１】
細管２２ａ，２２ｂの各々には、それぞれに対して吸水部材２３ａ，２３ｂが着脱自在に取り付けられ、施術時の飛散水２を吸水する。吸水部材２３ａ，２３ｂは、治療部位の歯牙以外の歯も含めて、全体をカバーするように歯列に沿って配置され、飛散水２を捕捉（サブトラップ）する。吸水部材２３ａ，２３ｂの水分（飛散水２）は、細管２２ａ，２２ｂを介して主管２１と合流する。
【００７２】
続いて、図５を参照して、バキュームチップ型吸引装置２００の組立例について説明する。この例では、図４に示した２トラップ方式のバキュームチップ型吸引装置２００を組み立てる場合を前提とする。まず、先端部分２１ａを形成する。先端部分２１ａには第１の実施例と同様の第１パイプ素材を使用する。この第１パイプ素材を、例えば、長さ５０〜７０ｍｍ程度に切断した後、Ｌ状に折り曲げ加工する。
【００７３】
この例でも、第１の実施例で説明した第１パイプ素材の内側に嵌合可能な異口径のステンレスの第２パイプ素材を準備する。第２パイプ素材の一端の側面に、被吸引物３を捕捉するための単一形状の開口部を形成する。例えば、開口部の裏面側を傾斜させて、第２パイプ素材の一端を、例えば、ちり取り形状に成形する。この例では、ちり取りの入口に相当する部分は、長丸形状の窓部となされている。その他端は、第１の実施例と同様にして、細管２２ａ，細管２２ｂの取り付け基部とする。
【００７４】
次に、第２パイプ素材の基部側を第１パイプ素材に嵌合し、所定の位置で止めて溶接する。細管２２ａ，２２ｂからの水路を確保するために、第１の実施例と同様にして、第１及び第２パイプ素材に貫通孔２０２を形成する。先端部分２１ａが準備できたら、先端部分２１ａに細管２２ａ，２２ｂを接続する。細管２２ａ，２２ｂの材質及びその接続方法は、第１の実施例で説明しているので、その説明を省略する。
【００７５】
その後、先端部分２１ａ、細管２２ａ及び細管２２ｂの周囲に、第１の実施例と同様にして、保護部材２４を形成して分岐部分を保護する。そして、先端部分２１ａを導管部分２１ｂに接続する。その接続方法は、第１の実施例と同様な接続構造を採ることができる。導管部分２１ｂの終端部には真空ポンプ２５を接続する。
【００７６】
そして、第１の実施例と同様にして、細管２２ａに吸水部材２３ａを挿入し、細管２２ｂに吸水部材２３ｂを挿入する。これらにより、図４に示したようなバキュームチップ型吸引装置２００が完成する。
【００７７】
このように第２の実施例に係るバキュームチップ型吸引装置２００によれば、主管２１の先端部分２１ａが、患者口腔内の施術部位のツール近傍に設置され、施術時、吸水部材２３ａ，２３ｂにより吸水された飛散水２を主管２１に導く２トラップ方式のバキュームチップ型吸引装置２００を提供できるようになった。
【００７８】
なお、バキュームチップ型吸引装置２００によれば、吸水部材２３ａ，２３ｂの長手方向に設けられた穴部３０１が、主管２１の先端部分２１ａに接続された細管２２ａ，２２ｂに嵌合されるので、患者毎に吸水部材２３ａ，２３ｂを交換して施術時の飛散水２を捕捉することができる。
【００７９】
バキュームチップ型吸引装置２００によれば、細孔付きの２つの細管２２ａ，２２ｂが、患者の上顎歯列又は下顎歯列の両側に沿って配置され、これらの細管２２ａ，２２ｂが、患者の歯列の内側（口蓋側あるいは舌側）及び外側（頬側）の少なくともいずれか一方の吸水部材２３ａ，２３ｂにより吸水された飛散水２を主管２１に導くので、咽頭への飛散水２の浸入を防止でき、気管への誤嚥や、ムセ込み等を防止できるようになる。
【００８０】
バキュームチップ型吸引装置２００によれば、大きさが異なる吸水部材２３ａ，２３ｂが複数準備されるので、患者の歯列形状に合った大きさの吸水部材２３ａ，２３ｂを細管２２ａ，２２ｂに取り付けて、施術時の飛散水２を捕捉することができる。
【００８１】
バキュームチップ型吸引装置２００によれば、細管２２ａ，２２ｂが可逆性を有する部材で構成されるので、患者の歯列形状に合わせ込んだ形状の細管２２ａ，２２ｂに吸水部材２３ａ，２３ｂを取り付けて、施術時の飛散水２を捕捉することができる。
【００８２】
バキュームチップ型吸引装置２００によれば、主管２１の先端部分２１ａが、患者口腔内の施術部位のツール近傍に設置され、施術時、吸水部材２３ａ，２３ｂにより吸水された飛散水２を主管２１に導くようになる。これにより、歯削片や歯石、冷却水等を吸引するメイントラップ（直接式）と、サブトラップした水分を吸い出す機能（間接式）を兼ね備えた２トラップ方式のバキュームチップ型吸引装置２００を提供できるようになった。
【産業上の利用可能性】
【００８３】
本発明は、排唾管型吸引装置や、バキュームチップ型吸引装置等の他に、一般診療室で脳血管疾患等による舌口蓋閉鎖普選患者の歯科治療及び、口腔ケア用の吸水装置や、老人ホームや、在宅等の患者の歯科治療及び、口腔ケア用のポータブル吸水装置等にも適用して極めて好適である。
【符号の説明】
【００８４】
１１，２１  主管（第１の管部材）
１１ａ，２１ａ  先端部分（主管）
１１ｂ，２１ｂ  導管部分（主管）
１１ｃ，２１ｃ  メイントラップ（主管）
１２ａ，１２ｂ，２２ａ，２２ｂ  細管（第２の管部材）
１３ａ，１３ｂ，２３ａ，２３ｂ  吸水部材  
１４，２４  保護部材
１５，２５  真空ポンプ
１００  排唾管型吸引装置（口腔内吸引装置）
２００  バキュームチップ型吸引装置（口腔内吸引装置）
【図１】
2013230204.tif 000003
【図２】
2013230204.tif 000004
【図３】
2013230204.tif 000005
【図４】
2013230204.tif 000006
【図５】
2013230204.tif 000007
【図６】
2013230204.tif 000008